(57)【要約】【課題】  ヘッドとインクの組合せによる最適な駆動条件の情報量を減少させて記憶する方法を提供し、且つヘッドとインクの製造バラツキを補正する事ができるインクジェット式記録装置を提供すること。【解決手段】  本発明のインクジェット式記録装置は、インクジェットヘッドのデータ記憶手段に基本の駆動条件データを、インクカートリッジの記憶手段に補正データを記憶するようにしたので、双方のデータからヘッドとインクの組合せによる最適な駆動条件を求める事ができるようにした。【選択図】  図３
2006231806.tif 000002
【特許請求の範囲】
【請求項１】
駆動ＩＣを含む駆動回路が実装された配線基板を有し、且つ圧電セラミックプレートに形成された溝の側壁に設けられた電極に駆動電圧を印加することによって当該溝内の容積を変化させてその内部に充填されたインクをノズル開口から吐出するインクジェットヘッドと、
前記インクジェットヘッドに供給するインクを収容した脱着可能なインクカートリッジと、
前記駆動回路に接続された外部制御回路とを具備するインクジェット式記録装置において
前記インクジェットヘッドには、当該インクジェットヘッドの基本の駆動条件データを格納した記憶手段が設けられ、
前記インクカートリッジには、収容されているインクの種類によって前記インクジェットヘッドの基本の駆動条件を補正する補正データを格納した記憶手段が設けられ、
前記外部制御回路には、前記基本駆動条件データと前記補正データを読み取って前記インクジェットヘッドの最適駆動条件求める手段と、求めた駆動条件を自動設定する手段が設けられていることを特徴とするインクジェット式記録装置。
【請求項２】
前記インクカートリッジに記憶手段が設けられていない場合には、前記インクジェットヘッドの基本駆動条件データのみを使用して、当該インクジェットヘッドの駆動条件を設定する請求項１記載のインクジェット式記録装置。
【請求項３】
前記インクジェットヘッドの基本駆動条件データと、対応する前記インクカートリッジの補正データにおいて、データ量は補正データの方が少ないことを特徴とする請求項１記載のインクジェット式記録装置。
【請求項４】
前記インクジェットヘッドの基本駆動条件データには、駆動電圧波形の基本パルス幅の情報が含まれ、
前記インクカートリッジの補正データにはインクの種類の違いにより前記基本パルス幅を調整させるパルス幅補正情報が含まれ、
前記基本パルス幅情報と前記パルス幅補正情報から補正後の駆動電圧波形を求める手段と設定する手段とを備えた請求項１記載のインクジェット式記録装置。
【請求項５】
前記インクジェットヘッドの基本駆動条件データには基本の駆動電圧値が含まれ、
前記インクカートリッジの補正データには、インクの種類の違いにより電圧値を増減させる駆動電圧補正値が含まれ
前記基本の駆動電圧値と前記駆動電圧補正値から補正後の駆動電圧値を求める手段と設定する手段とを備えた請求項１記載のインクジェット式記録装置。
【請求項６】
前記インクジェットヘッドにはヘッド内部に充填されたインクの温度を計測する手段が設けられ、
前記インクジェットヘッドの基本駆動条件データには基本のインクについての温度と対応する駆動電圧値の換算表が含まれ、
前記インクカートリッジの補正データにはインクの種類の違いによって前記換算表を補正する情報が含まれ、
前記外部制御回路では前記インクの温度計測値を読み取って、前記駆動条件データに含まれる前記換算表と前記補正データに含まれる補正情報から駆動電圧値を求める手段と設定する手段を備えた請求項１記載のインクジェット式記録装置。
【請求項７】
前記インクジェットヘッドの基本駆動条件データに含まれる基本パルス幅の情報は、ヘッドの製造バラツキを補正するように記憶手段に設定され、
前記インクカートリッジの補正データに含まれるパルス幅補正情報が、インクの製造バラツキを補正するように個別に設定されている請求項４記載のインクジェット式記録装置。
【請求項８】
前記インクジェットヘッドの基本駆動条件データに含まれる駆動電圧値が、個々のインクジェットヘッドの製造バラツキを補正するように個別に設定され、
前記インクカートリッジの補正データに含まれる駆動電圧補正値が、インクの製造バラツキを補正するように個別に設定されている請求項５記載のインクジェット式記録装置。
【請求項９】
前記インクジェットヘッドの駆動条件データに含まれる温度と駆動電圧値の換算表が、個々のインクジェットヘッドの製造バラツキを補正するように個別に設定され、
前記インクカートリッジの補正データに含まれる前記換算表の補正情報が、インクの製造バラツキを補正するように個別に設定されている請求項６記載のインクジェット式記録装置。
【発明の詳細な説明】
【技術分野】
【０００１】
本発明は、例えば、プリンタ、ファックス等に適用されて、ノズル開口からインクを吐出させるインクジェット式記録装置に関する。
【背景技術】
【０００２】
従来から、複数のノズルからインクを吐出するインクジェットヘッドを用いて被記録媒体に文字や画像を記録するインクジェット式記録装置が知られている。かかるインクジェット式記録装置では、ヘッドに駆動波形や駆動電圧等の駆動条件を設定する手段と、インクの供給源であるインクカートリッジとを備えており、外部からの印字データに基づいて各ノズルからの吐出を行う。
【０００３】
インクの吐出を良好に行うためには最適な駆動条件でヘッドを制御する必要があるが、ヘッドの種類やインクの種類の違いにより最適な駆動条件が異なるため、ヘッドやインクカートリッジを交換する際には駆動条件も変更する場合がある。
【０００４】
この駆動条件の変更は煩雑さを伴うため、インクジェットヘッドまたはインクカートリッジに駆動条件を記憶した不揮発性の記憶素子を搭載し、この内容を読み取って自動で設定する方法が考案されている。
【特許文献１】特開２００４−０８２５４３号公報
【特許文献２】特開平４−１３３７４６号公報
【発明の開示】
【発明が解決しようとする課題】
【０００５】
上記のようにインクジェットヘッドまたはインクカートリッジに記憶素子を搭載したインクジェット式記録装置においては、駆動条件を自動で設定できるために有用である。
【０００６】
しかし、最適な駆動条件はヘッド単体やインク単体で決まるものではなく、ヘッドの構造とインクの特性との組合せで最適駆動条件が決定される。例えば、一個のインク滴の量が小さいヘッドと大きいヘッドではノズル径やアクチュエータ部の加工寸法が異なるためそれぞれの基本的な駆動条件は異なる。また、様々な印字媒体や耐環境性に対応するためのインクが数多く存在し、それらインクの最適な駆動条件も異なる。対応するヘッドの種類と対応するインクの種類の組合せが多くなるほど、最適駆動条件を記憶させるその情報量は膨大になる。
【０００７】
更に良好な吐出を行うためには、同じ種類のヘッドであっても製造バラツキによってその特性に差異が生じるため、バラツキを補正するように個々のヘッドに適した駆動条件を設定する必要がある。インクについても同様にロットによる製造バラツキが生じるため、ロット毎に適した駆動条件を設定する必要がある。
【０００８】
本発明は、ヘッドとインクの組合せによる最適な駆動条件の情報量を減少させて記憶する方法を提供し、且つヘッドとインクの製造バラツキを補正する事ができるインクジェット式記録装置を提供することを目的としている。
【課題を解決するための手段】
【０００９】
上記課題を解決する本発明の第１の態様は駆動ＩＣを含む駆動回路が実装された配線基板を有し、且つ圧電セラミックプレートに形成された溝の側壁に設けられた電極に駆動電圧を印加することによって当該溝内の容積を変化させてその内部に充填されたインクをノズル開口から吐出するインクジェットヘッドと、前記インクジェットヘッドに供給するインクを収容した脱着可能なインクカートリッジと、前記駆動回路に接続された外部制御回路とを具備するインクジェット式記録装置において、前記インクジェットヘッドには、当該インクジェットヘッドの駆動条件データを含んだ駆動条件データを格納するためのデータ記憶手段が設けられ、前記インクカートリッジには、収容されているインクの種類によって前記インクジェットヘッドの駆動条件を補正する補正データを格納するためのデータ記憶手段が設けられ、前記外部制御回路には、前記駆動条件データと前記補正データを読み取って前記インクジェットヘッドの駆動条件を自動設定する設定手段が設けられていることを特徴とするインクジェット式記録装置である。
【００１０】
本発明の第２の態様は、前記インクカートリッジに補正データが設けられていない場合には、前記インクジェットヘッドの駆動条件データのみを使用して、前記インクジェットヘッドの駆動条件を設定する第１の態様のインクジェット式記録装置。
【００１１】
本発明の第３の態様は、前記インクカートリッジの補正データは、前記インクジェットヘッドの駆動条件データよりもデータ量が少ないことを特徴とする第１の態様のインクジェット式記録装置である。
【００１２】
本発明の第４の態様は、前記インクジェットヘッドの駆動条件データには、駆動電圧波形の基本パルス幅の情報が含まれ、前記インクカートリッジの補正データにはインクによって前記基本パルス幅を増減させるパルス幅補正情報が含まれ、前記基本パルス幅情報と前記パルス幅補正情報から補正後の駆動電圧波形を求める手段と設定する手段とを備えた第１の態様のインクジェット式記録装置である。
【００１３】
本発明の第５の態様は、前記インクジェットヘッドの駆動条件データには基本の駆動電圧値が含まれ、前記インクカートリッジの補正データには、インクの種類によって電圧値を増減させる駆動電圧補正値が含まれ前記基本の駆動電圧値と前記駆動電圧補正値から補正後の駆動電圧値を求める手段と設定する手段とを備えた第１の態様のインクジェット式記録装置である。
【００１４】
本発明の第６の態様は、前記インクジェットヘッドには内部に充填されたインクの温度を計測する手段が設けられ、前記インクジェットヘッドの駆動条件データには基本のインクについての温度と対応する駆動電圧値の換算表が含まれ、前記インクカートリッジの補正データにはインクの種類によって前記換算表を補正する情報が含まれ、前記外部制御回路では前記インクの温度の計測値を読み取って、前記駆動条件データに含まれる前記換算表と前記補正データに含まれる補正情報から駆動電圧値を計算する手段と設定する手段を備えた第１の態様のインクジェット式記録装置である。
【００１５】
本発明の第７の態様は、前記インクジェットヘッドの駆動条件データに含まれる基本パルス幅の情報が、個々のインクジェットヘッドの製造バラツキを補正するように個別に設定され、前記インクカートリッジの補正データに含まれるパルス幅補正情報が、インクの製造バラツキを補正するように個別に設定されている第４の態様のインクジェット式記録装置である。
【００１６】
本発明の第８の態様は、前記インクジェットヘッドの駆動条件データに含まれる駆動電圧値が、個々のインクジェットヘッドの製造バラツキを補正するように個別に設定され、
前記インクカートリッジの補正データに含まれる駆動電圧補正値が、インクの製造バラツキを補正するように個別に設定されている第５の態様のインクジェット式記録装置である。
【００１７】
本発明の第９の態様は、前記インクジェットヘッドの駆動条件データに含まれる温度と駆動電圧値の換算表が、個々のインクジェットヘッドの製造バラツキを補正するように個別に設定され、前記インクカートリッジの補正データに含まれる前記換算表の補正情報が、インクの製造バラツキを補正するように個別に設定されている第６の態様のインクジェット式記録装置である。
【発明の効果】
【００１８】
上述したように本発明のインクジェット式記録装置は、インクジェットヘッドのデータ記憶手段に基本の駆動条件データを、インクカートリッジの記憶手段に補正データを記憶するようにしたので、双方のデータからヘッドとインクの組合せによる最適な駆動条件を求める事ができ、且つインクカートリッジにはデータ量の少ない補正データのみを記憶するので、ヘッドとインクの組合せが膨大であっても全体の情報量を減少させて記憶する事ができる。インクカートリッジは交換の頻度が高いため、そこに使用されるメモリ容量が小さい事はコスト的なメリットが大きい。
【００１９】
また、例えば使用頻度の高いブラックインクとの組合せによる最適駆動条件を、基本の駆動条件としてヘッドの記憶手段に記憶しておく事により、ブラックのインクカートリッジについてはデータ記憶手段が不必要になる。この場合、インクカートリッジの記憶手段の有無を判別し、無い場合はヘッドに記憶された駆動条件そのままの値を設定し、有る場合はヘッドの基本駆動条件とインクカートリッジの補正データから最適な駆動条件を求め、設定する。このようにすることにより、ブラックのインクカートリッジについてはデータ記憶手段が不必要となり、コストを削減することができる。
【００２０】
更に、インクジェットヘッドの製造バラツキを補正するようにヘッドの駆動条件データを個別に記憶させることにより、ヘッド間バラツキを減少させることができる。同じく、インクのロット間の特性バラツキを補正するようにインクカートリッジの補正データを個別に記憶させることにより、インクのロット間のバラツキを減少させることができる。
【発明を実施するための最良の形態】
【００２１】
以下、本発明を実施形態に基づいて詳細に説明する。
【００２２】
図１は、本発明の実施形態に係るインクジェット式記録装置の概略斜視図である。
【００２３】
本実施形態のインクジェット式記録装置１０は、図１に示すように、色毎に設けられた複数のインクジェットヘッド２０と、このインクジェットヘッド２０が主走査方向に複数並設されて搭載されたキャリッジ５０と、フレキシブルチューブからなるインク供給管７２を介してインク貯留手段であるインクカートリッジ７０とを具備し、キャリッジ５０は、一対のガイドレール５１ａ、５１ｂ上に軸方向に移動自在に搭載されている。また、ガイドレール５１ａ、５１ｂの一端側には駆動モータ５２が設けられており、この駆動モータ５２による駆動力が、当該駆動モータ５２に連結されたプーリ５３ａと、ガイドレール５１ａ、５１ｂの他端側に設けられたプーリ５３ｂとの間に掛け渡されたタイミングベルト５４に沿って移動されるようになっている。
【００２４】
また、キャリッジ５０の搬送方向と直交する方向の両端部側には、ガイドレール５１ａ，５１ｂに沿ってそれぞれ一対の搬送ローラ５５，５６が設けられている。これらの搬送ローラ５５，５６は、キャリッジ５０の下方に当該キャリッジ５０の搬送方向とは直交する方向に被記録媒体６０を搬送するものである。
【００２５】
そして、これら搬送ローラ５５，５６によって被記録媒体６０を送りつつキャリッジ５０をその送り方向とは直交方向に走査することにより、インクジェットヘッド２０によって被記録媒体６０上に文字及び画像等が記録される。
【００２６】
なお、各インクジェットヘッド２０は、単色のインクを吐出する大型タイプであり、例えば、本実施形態では、ブラック（Ｂ）、イエロー（Ｙ）、マゼンダ（Ｍ）、シアン（Ｃ）の４色のインクに対応して４つ並設されてキャリッジ５０に搭載されている。
【００２７】
また、各色のインクが充填されている各インクカートリッジ７０は、キャリッジ５０の主走査方向の移動や、被記録媒体６０の移動の邪魔にならない位置で、且つインクジェットヘッド２０内に負圧を与えるように、インクジェットヘッド２０のノズル開口よりも所定量低い位置に設けられている。
【００２８】
さらに、インクジェット式記録装置１０には、詳しくは後述するが、各インクジェットヘッド２０の駆動回路に駆動条件を設定する機能と印字データ等を送信する機能を持った図示しない外部制御回路が設けられている。
【００２９】
ここで、図２を参照して、上述したインクジェット式記録装置に搭載されるインクジェットヘッドについて説明する。なお、図２は、本実施形態に係るインクジェットヘッドの斜視図である。
【００３０】
図示するように、本実施形態のインクジェットヘッド２０は、ヘッドチップ４０と、この一方面側に設けられる流路基板４１と、ヘッドチップ４０を駆動するための駆動回路等が搭載された配線基板３０とを有し、これらの各部材は、それぞれベースプレート６０に固定されている。
【００３１】
ヘッドチップ４０を構成する図示しない圧電セラミックプレートには、ノズル開口に連通する複数の溝が形成され、その溝の側壁には電極が形成されている。この電極には、フレキシブルプリンテッドサーキット（ＦＰＣ）３２の一端が接続され、ＦＰＣ３２の他端側には、配線基板３０上の駆動回路３１が接続されており、電極と駆動回路３１は電気的につながっている。電極に駆動回路３１から出力された駆動電圧を印加すると、当該溝内の容積が変化しその内部に充填されたインクはノズル開口から吐出する。
【００３２】
また、インクジェットヘッド２０にはインク供給管７１が接続されており、ここから供給されたインクは、キャリッジ５０が往復動作する時に発生するインク圧力変動を軽減するためのエアダンパ４３と、流路基板４１とを介してヘッドチップ４０に導かれる。
【００３３】
さらに、配線基板３０上には、詳しくは後述するが、基本駆動条件を格納したデータ記憶手段３３が設けられている。
【００３４】
ここで、図３を参照して、上述したインクジェット式記録装置１０、特に、外部制御回路とデータ記憶手段とについて説明する。なお、図３は、インクジェット式記録装置の制御系を示す制御ブロック図である。
【００３５】
図３に示すように、本実施形態のインクジェット式記録装置１０は、４個のインクジェットヘッド２０a、２０ｂ、２０ｃ、２０ｄと、このインクジェットヘッド２０に接続された外部制御回路８０と、４色のインクカートリッジ７０a、７０ｂ、７０ｃ、７０ｄを備えている。
【００３６】
また、１個のインクジェットヘッド２０は、上述したようにヘッドチップ４０と配線基板３０とを有し、この配線基板３０上にはヘッドチップ３０に接続された駆動ICを含む駆動手段３１と、インクジェットヘッド２０の基本駆動条件データが格納されたデータ記憶手段３３と、インクジェットヘッド内のインクの温度が計測可能な温度計測手段３４とが設けられている。駆動手段３１は外部制御回路から入力される印字データに従ってインク滴を吐出させるようヘッドチップ４０を駆動する機能を持つ。また、その駆動は外部制御回路から設定された駆動電圧と駆動波形に則って行われる。
【００３７】
さらに、各インクカートリッジ７０は交換可能であり、ブラック以外はインクの色によって基本駆動条件を補正する補正データが格納されたデータ記憶手段７１を備えており、ブラックについてはデータ記憶手段７１を備えていない。
【００３８】
一方、外部制御回路８０は、例えばパーソナルコンピュータ等の外部端末から入力された印字データをインクジェットヘッド２０に適する印字データ形式に変換し、吐出のタイミング制御等を行う印字データ制御手段８１が設けられている。また、インクジェットヘッド２０に設けられたデータ記憶手段３３から基本駆動条件データを、インクカートリッジ７０に設けられたデータ記憶手段７１から補正データを読み取り、ヘッドとインクの組合せによる最適な駆動条件データを計算する最適駆動条件計算手段８５と、求めた最適駆動条件データを保持しておく最適駆動条件記憶手段８６と、ヘッドの駆動手段３１と最適駆動条件を設定する駆動条件設定手段８２とが設けられている。
【００３９】
具体的に説明するために、本実施形態では、駆動条件として駆動波形パルスと駆動電圧について記述する。
【００４０】
駆動波形パルスについて説明する。データ記憶手段３３にはブラックインクと組合せた時を基準とした基本パルス幅情報を各ヘッドの製造バラツキを加味してそれぞれ格納され、ブラック以外のデータ記憶手段７１にはインク色の違いによりパルス幅を補正するパルス幅補正情報をインクの製造バラツキを加味して格納されている。ブラックのインクカートリッジには補正データが不必要なため、データ記憶手段７１は設けられていない。最適駆動条件計算手段は、データ記憶手段３３の基本パルス幅情報とデータ記憶手段７１のパルス幅補正情報からヘッドとインクの組合せによる最適パルス幅を求め、これを最適駆動条件記憶手段８６に保存しておく。ブラックの場合は、ブラック用のヘッドに搭載されたデータ記憶手段３３の内容をそのまま最適駆動条件記憶手段８６に保存する。駆動波形を設定する場合は、駆動波形設定手段８３が最適駆動条件記憶手段８６から各色の最適パルス幅を読み出し、それぞれのインクジェットヘッド２０に設定する。
【００４１】
次に駆動電圧について説明する。データ記憶手段３３にはブラックインクを基準としたインク温度−駆動電圧の換算表を各ヘッドの製造バラツキを加味してそれぞれ格納され、データ記憶手段７１にはインク色の違いにより換算表を補正する補正情報がインクの製造バラツキを加味して格納されている。最適駆動条件計算手段８５は、データ記憶手段３３の換算表とデータ記憶手段７１の補正情報からヘッドとインクの組合せによる最適な換算表を求め、これを最適駆動条件記憶手段８６に保存しておく。但し、データ記憶手段７１が設けられていないブラックの場合は、ブラック用のヘッドに搭載されたデータ記憶手段３３の内容をそのまま最適駆動条件記憶手段８６に保存する。駆動電圧を設定する場合は、駆動電圧設定手段８４が各ヘッドの温度計測手段３３からインク温度を読み取り、最適駆動条件記憶手段８６に記憶されている各色の最適なインク温度−駆動電圧換算表からそれぞれの駆動電圧値を参照し、それぞれのインクジェットヘッド２０設定する。
【００４２】
ここで、図４を参照して、駆動条件設定手段８２がインクジェットヘッド２０に駆動条件を設定する手順について説明する。なお、図４は、インクジェットヘッドに駆動条件を設定する手順を示すチャート図である。
【００４３】
図４に示すように、まず、インクジェット式記録装置１０にインクジェットヘッド２０とインクカートリッジを取り付ける（ステップＳ１）。本実施形態では、上述したキャリッジ５０に４個のインクジェットヘッド２０を取り付け、インクカートリッジはブラック（Ｂ）、イエロー（Ｙ）、マゼンダ（Ｍ）、シアン（Ｃ）の４色を取付ける。また、使用頻度の高いブラックのインクカートリッジだけには記憶手段３３が設けられていない。
【００４４】
次に、インクジェット式記録装置１０の図示しない電源を投入する（ステップＳ２）。これにより、最適駆動条件計算手段８５がデータ記憶手段３３に格納された基本駆動条件を読み取り（ステップＳ３）、さらにデータ記憶手段７１に格納された補正データを読み取り（ステップＳ４）、双方のデータから最適な駆動条件を計算し（ステップＳ５）、求めた最適駆動条件は最適駆動条件記憶手段８６に保存する（ステップＳ６）。ステップＳ３からＳ６までの処理は各色毎に行われる。また、ステップＳ４においてデータ記憶手段７１が存在しないブラックインクについては、データ記憶手段３３に格納された基本駆動条件を補正せずにそのまま最適駆動条件記憶手段８６に保存する。次に、駆動波形設定手段８３は最適駆動条件記憶手段８６に保存されたデータの内、最適駆動波形に関する情報を読み出し各インクジェットヘッド２０に駆動波形を自動的に設定する（ステップＳ７）。
【００４５】
その後、インクジェット式記録装置１０は電源が遮断されるまで、インクカートリッジ７０が交換されたかどうかの監視（ステップＳ８）と、印字動作が開始されるかどうかの監視（ステップＳ９）を行う。
【００４６】
ステップＳ８でインクカートリッジ７０が交換された場合は、インクによる最適駆動条件を変更するために再度ステップＳ３からステップＳ７を実行し最適駆動条件を求め直し、さらに駆動波形を設定し直す。
【００４７】
ステップＳ９で印字動作が開始されると、１スキャン分の印字データが外部端末より入力されるのを待ち（ステップＳ１０）、スキャン毎にインク温度に対応する駆動電圧をインクジェットヘッド２０に与え（ステップＳ１１,Ｓ１２,Ｓ１３）、その後印字を行う（ステップＳ１４）。駆動電圧の設定は、駆動電圧設定手段８４が温度計測手段３４から各色のインク温度を読み取り（ステップＳ１１）、最適駆動条件記憶手段８６に保存されている温度−駆動電圧換算表からこの時の各ヘッドの最適駆動電圧を参照し（ステップＳ１２）、それぞれのヘッドに駆動電圧を設定する（ステップＳ１３）。インクの温度は印字動作中においても変化するので、１スキャン印字毎にステップＳ１１、Ｓ１２、Ｓ１３を行う必要がある。１スキャンの印字が行われた後は印字動作が終了であるかを判断し（ステップＳ１５）、引き続き印字を行う場合はステップＳ１０からＳ１４を繰り返し実行する。
【００４８】
以上説明したように、本実施形態のインクジェット式記録装置１０では、インクジェットヘッド２０に基本駆動条件データを格納したデータ記憶手段３３を設け、インクカートリッジ７０にインクによる補正データを格納したデータ記憶手段７１を設けるようにしたので、それぞれのヘッドとインクの組み合わせによる最適な駆動条件を設定する事ができ、且つインクカートリッジ７０に設けられたデータ記憶手段７１には情報量の少ない補正データのみを格納する事により、データ記憶手段７１のメモリ容量を縮小する事が可能である。
【００４９】
また、本実施形態では駆動パルスと駆動電圧について記述したが、インクジェットヘッド２０のデータ記憶手段３３に基本となる駆動条件を格納し、インクカートリッジ７０のデータ記憶手段７１にインクの種類による駆動条件の補正値を格納する形態であれば、他の駆動条件であっても構わない。さらに、本実施形態ではデータ記憶手段７１に格納された補正データはインク色の違いによる補正情報としたが、インクの種類が異なるなどインク間の条件を補正するものあれば他の情報であっても構わない。
【図面の簡単な説明】
【００５０】
【図１】本発明の実施形態に係るインクジェット式記録装置の概略斜視図
【図２】本実施形態に係るインクジェットヘッドの斜視図
【図３】本発明の実施形態に係るインクジェット式記録装置の制御系を説明する制御ブ          ロック図
【図４】本発明の実施形態に係るインクジェットヘッドに駆動条件を設定する手順を示          すフローチャート
【符号の説明】
【００５１】
１０  インクジェット式記録装置
２０  インクジェットヘッド
３０  インクジェットヘッドの配線基板
３３  インクジェットヘッドに設けられたデータ記憶手段
３４  温度計測手段
７０  インクカートリッジ
７１  インクカートリッジに設けられたデータ記憶手段
７２  インク供給管
８０  外部制御回路
８２  駆動条件設定手段
８５  最適駆動条件計算手段
８６  最適駆動条件記憶手段
【図１】
2006231806.tif 000003
【図２】
2006231806.tif 000004
【図３】
2006231806.tif 000005
【図４】
2006231806.tif 000006